(57)【要約】【課題】一定の形を保持でき、防水性を有する靴下シューズを提供する。【解決手段】靴底１と、靴底１に接触して設置されている足底部２１及び装着者の足の甲を覆う足甲部２２とからなって靴底１に設置されている靴下体２と、靴下体２を装着者の足の甲へ締める緊締部３と、を備える靴下シューズであって、靴下体２は、いずれも一体的に製作されている布であってそれぞれ内外両方に配置されている内靴下層２３及び外靴下層２７と、内靴下層２３と外靴下層２７との間に配置されている防水層２５と、内靴下層２３と防水層２５とを接着していて内靴下層２３と防水層２５とに剛性を与える第１接着層と、外靴下層２７と防水層２５とを接着していて外靴下層２７と防水層２５とに剛性を与える第２接着層と、からなっていて、前記剛性により、靴下体２の装着者の足を収容する所定の空間２０を保持している。【選択図】図１
0003211094.tif 000002
【実用新案登録請求の範囲】
【請求項１】
装着者の足の裏に踏まれる第１の面と前記第１の面とは反対側で地面に接する第２の面とを有する靴底と、前記靴底の前記第１の面に接触して設置されている足底部及び装着者の足の甲を覆う足甲部とからなって前記靴底に設置されている靴下体と、前記靴下体を装着者の足の甲へ締める緊締部と、を備える靴下シューズであって、
前記靴下体は、
いずれも一体的に製作されている布であってそれぞれ内外両方に配置されている内靴下層及び外靴下層と、
前記内靴下層と前記外靴下層との間に配置されている防水層と、
前記内靴下層と前記防水層とを接着していて該内靴下層と該防水層とに剛性を与える第１接着層と、
前記外靴下層と前記防水層とを接着していて前記外靴下層と前記防水層とに剛性を与える第２接着層と、からなっていて、
前記剛性により、該靴下体が装着者の足を収容する所定の空間を保持していることを特徴とする靴下シューズ。
【請求項２】
前記防水層は、基材フィルムと、前記基材フィルムに設置されている透湿性防水フィルムと、により構成されていることを特徴とする請求項１に記載の靴下シューズ。
【請求項３】
前記防水層は、２枚の透湿性防水フィルムが接着されてなったものであることを特徴とする請求項１に記載の靴下シューズ。
【請求項４】
前記靴下体の前記足甲部には、
装着者の爪先を覆う爪先部と、
装着者のかかとを覆うかかと部と、
前記かかと部よりの前記足底部の反対側にあって、前記靴底の前記第１の面の向き方向（Ｌ１）へ開口する履き口と、が形成され、また、
かかと部補強手段が前記かかと部を外から覆うように設置されており、
爪先部補強手段が前記爪先部を外から覆うように設置されており、
補強バンドが前記かかと部の外下縁近くから前記向き方向に沿いながら、前記かかと部を経由して前記履き口まで延伸して長尺状になるように設置されていることを特徴とする請求項１〜請求項３のいずれか一項に記載の靴下シューズ。
【請求項５】
前記爪先部と前記かかと部との間の前記足甲部にある前記内靴下層には、捻挫防止部が前記靴底の幅方向に沿って横断するように設置されていることを特徴とする請求項４に記載の靴下シューズ。
【請求項６】
前記緊締部は、
前記靴底の幅のほぼ中心点を通って該靴底の長さ方向に沿って延伸する線を基準線として両側にそれぞれ該基準線に平行する上、互いに対になるように前記足甲部に設置されている２列の鳩目手段と、
前記鳩目手段を通し、前記靴下体２の前記足甲部を前記靴底１の幅方向に沿って前記幅方向両側の前記鳩目手段を前記基準線の方へ引っ張ることができるように設置されている靴紐と、からなっていることを特徴とする請求項１〜請求項４のいずれか一項に記載の靴下シューズ。
【請求項７】
前記緊締部は、前記足甲部の前記防水層には、前記防水層の一部を覆うように緊締体が配置されていて、
前記緊締部における鳩目手段は、それぞれ紐体からなり、両端が付け根として、前記緊締体に連結されていることを特徴とする請求項６に記載の靴下シューズ。
【考案の詳細な説明】
【技術分野】
【０００１】
本考案は靴下シューズ、特に立体の形を保持できる靴下シューズに関する。
【背景技術】
【０００２】
一般のシューズは、装着者の足の甲を覆うアッパーが装着者の足を保護、支持するために、プラスチックや、固い支持体が入っている布や、革などの固い素材により構成されているので、装着者の足がシューズのアッパーに摩擦して擦り傷になりやすい。ゆえに、一般的に、装着者はシューズを履く前に、足の擦り傷を防止するために靴下を履く。
【０００３】
上記の問題点を解消するために、特許文献１〜３の記載のように、靴下をシューズのアッパーとする靴下シューズが開発された。
【０００４】
しかし、靴下シューズは、生地が薄いため、保温性が足りなく、防水性もとても劣るので、雨が降ると、靴下シューズ全体がすぐずぶ濡れになる。また、靴下シューズの靴下部の生地が一定の形を保持できないので、商品として展示される際に、見た目がさえない欠点と、装着者が靴下シューズを履く際に、靴下部の履き口と靴下部の装着者の足の甲を覆う部分を広げた後、足に装着でき、一般のシューズのような直接履き口に入れて装着することができない欠点とがある。
【先行技術文献】
【特許文献】
【０００５】
【特許文献１】台湾実用新案公告第Ｍ４７３０８８号明細書
【特許文献２】台湾実用新案公告第Ｍ５２２５８１号明細書
【特許文献３】台湾実用新案公告第Ｍ５２６２９９号明細書
【考案の概要】
【考案が解決しようとする課題】
【０００６】
上記問題点に鑑みて、本考案は、一定の立体の形を保持でき、防水性を有する靴下シューズの提供を目的とする。
【課題を解決するための手段】
【０００７】
上記目的を達成すべく、本考案は、装着者の足の裏に踏まれる第１の面と前記第１の面とは反対側で地面に接する第２の面とを有する靴底と、前記靴底の前記第１の面に接触して設置されている足底部及び装着者の足の甲を覆う足甲部とからなって前記靴底に設置されている靴下体と、前記靴下体を装着者の足の甲へ締める緊締部と、を備える靴下シューズであって、前記靴下体は、いずれも一体的に製作されている布であってそれぞれ内外両方に配置されている内靴下層及び外靴下層と、前記内靴下層と前記外靴下層との間に配置されている防水層と、前記内靴下層と前記防水層とを接着していて該内靴下層と該防水層とに剛性を与える第１接着層と、前記外靴下層と前記防水層とを接着していて前記外靴下層と前記防水層とに剛性を与える第２接着層と、からなっていて、前記剛性により、該靴下体が装着者の足を収容する所定の空間を保持していることを特徴とする靴下シューズを提供する。
【考案の効果】
【０００８】
上記構成により、本考案の靴下シューズは、靴下体が第１接着層及び第２接着層により剛性が与えられているので、常に装着者の足を収容する所定の空間を有する形を保持することができる。また、防水層を有することにより、水にかけられても、内靴下層が濡れにくくなり、湿気による病気、例えば水虫などにかかりにくくなる。
【図面の簡単な説明】
【０００９】
【図１】本考案の第１の実施形態の靴下シューズを示す部品分解図である。
【図２】上記実施形態の靴下シューズを示す斜視図である。
【図３】上記実施形態の靴下シューズを示す断面図である。
【図４】上記実施形態の靴下シューズを示す部分断面図である。
【図５】本考案の第２の実施形態の靴下シューズを示す部分断面図である。
【図６】本考案の第３の実施形態の靴下シューズを示す斜視図である。
【図７】本考案の第４の実施形態の靴下シューズにおける内靴下層を示す斜視図である。
【図８】本考案の第５の実施形態の靴下シューズを示す斜視図である。
【図９】本考案の第６の実施形態の靴下シューズにおける緊締部を示す部分透視図である。
【考案を実施するための形態】
【００１０】
以下、図面を参照しながら、本考案の靴下シューズの各実施形態について詳しく説明する。
＜第１の実施形態＞
図１は本考案の第１の実施形態の靴下シューズを示す部品分解図であり、図２は上記実施形態の靴下シューズを示す斜視図であり、図３は上記実施形態の靴下シューズを示す断面図であり、図４上記実施形態の靴下シューズを示す部分断面図である。
【００１１】
本考案の第１の実施形態において靴下シューズ１は、図１に示されるように、靴底１と、靴下体２と、緊締部３と、補強手段４と、図３に示すように装着者に踏まれるように靴下体２内に入れられて設置されている中敷き５と、を備える。
【００１２】
靴底１は、図１に示されるように、装着者の足の裏に踏まれる第１の面１１と、この第１の面１１とは反対側で地面に接する第２の面１２とを有するように構成されている。
【００１３】
靴下体２は、図１に示されるように、靴底１の第１の面１１に接触して設置されている足底部２１及び装着者の足の甲を覆う足甲部２２とからなって靴底１に設置されている。
【００１４】
靴下体２の足甲部２２には、装着者の爪先を覆う爪先部２２１と、装着者のかかとを覆うかかと部２２２と、かかと部２２２寄りの足底部２１の反対側にあって、靴底１の第１の面１１の向き方向Ｌ１へ開口する履き口２２３と、が形成されている。
【００１５】
また、靴下体２は、図４に示されるように、いずれも一体的に製作されている布であってそれぞれ内外両方に配置されている内靴下層２３及び外靴下層２７と、内靴下層２３と外靴下層２７との間に配置されている防水層２５と、内靴下層２３と防水層２５とを接着していて内靴下層２３と防水層２５とに剛性を与える第１接着層２４と、外靴下層２７と防水層２５とを接着していて外靴下層２７と防水層２５とに剛性を与える第２接着層２６と、からなっていて、前記剛性により、靴下体２が装着者の足を収容する所定の空間２０を保持している。
【００１６】
この実施形態において、内靴下層２３は、柔軟性と一定の厚みと紋とがある生地として編み物により製作されるので、装着者の足を保温することができ、汗を吸収し易く、更に緩衝などの効果を奏し、これらの優れた効果から装着者に良い履き心地を与えられる。しかし、この実施形態に限らず、内靴下層２３は例えば不織布で製作されることもできる。
【００１７】
防水層２５は、図４に示されるように、基材フィルム２５１と、基材フィルム２５１に設置されている透湿性防水フィルム２５２と、により構成されて、透湿性（Ｍｏｉｓｔｕｒｅ Ｐｅｒｍｅａｂｉｌｉｔｙ）があるものである。この実施形態において、透湿性防水フィルム２５２は、透湿性防水樹脂を基材フィルムに含浸させることにより基材フィルム２５１の表面に設置されている。しかし、透湿性防水フィルム２５２の作成方法はこの実施形態に限らず、例えば吹き付け（Ｓｐｒａｙｉｎｇ）方法で透湿性防水樹脂を基材フィルムに付着させることにより透湿性防水フィルム２５２を基材フィルム２５１の表面に設置することもできる。また、透湿性防水樹脂に抗菌剤などの添加剤を添加して、透湿性防水フィルムに抗菌などの機能を持たせることもできる。
【００１８】
透湿性防水フィルムの原料として、例えば、ポリウレタン（Ｐｏｌｙｕｒｅｔｈａｎｅ、ＰＵ）、熱可塑性ポリウレタン（ＴＰＵ）、ラテックス（ＬＡＴＥＸ）、熱可塑性エラストマ（Ｔｈｅｒｍｏｐｌａｓｔｉｃ Ｅｌｅａｓｔｏｍｅｒ、ＴＰＥ）、ポリテトラフルオロエチレン（Ｐｏｌｙｔｅｔｒａｆｌｕｏｒｏｅｔｈｙｌｅｎｅ、ＰＴＦＥ）樹脂、ポリエチレン（Ｐｏｌｙｅｔｈｙｌｅｎｅ、ＰＥ）樹脂、ポリプロピレン（Ｐｏｌｙｐｒｏｐｙｌｅｎｅ、ＰＰ） 樹脂及びポリ塩化ビニル（Ｐｏｌｙｖｉｎｙｌ Ｃｈｌｏｒｉｄｅ、ＰＶＣ）樹脂からなる群より選ばれたものが挙げられる。
【００１９】
第１接着層２４及び第２接着層２６は、固化すると立体の形を維持できる剛性を有する接着剤である。なお、固化すると剛性に加えて透湿性を持つものを使用することもできる。
【００２０】
外靴下層２７は、柔軟性と一定の厚みと紋とがある生地により製作されたが、この実施形態に限らず、他の方法や生地で製作されることもできる。また、紋が内靴下層２３及び防水層２５に対応して、弾性がある紋で足首を覆う部分を製作することが好ましい。
【００２１】
緊締部３は、図１及び図２に示されるように、一端が靴底１に固定されて、足甲部２２の幅方向Ｌ２における両側のそれぞれに設置されている２つの緊締シート３１、伸縮性があり２つの緊締シート３１の前記一端の反対端を繋ぐように設置されている伸縮帯３２により構成されて、靴下体２を装着者の足の甲へ締めるものである。
【００２２】
補強手段４は、図１〜図３に示されるように、かかと部補強手段４１と補強バンド４２と伸縮バンド４３と爪先部補強手段４４とにより構成されている。
【００２３】
かかと部補強手段４１は、靴下体２のかかと部２２２から靴下体２の爪先部２２１へ延伸して、向き方向Ｌ１における断面がＵ字型になって、かかと部２２２を外から覆うように設置されている。
【００２４】
補強バンド４２は、靴下体２のかかと部２２２の外下縁近くから向き方向Ｌ１に沿いながら、かかと部２２２を経由して履き口２２３まで延伸して長尺状になるように設置されている。
【００２５】
伸縮バンド４３は、図３及び図４に示されるように、伸縮性を付与する編み方で履き口２２３の周縁にある外靴下層２７を編むことにより構成されている。この方法により、履き口２２３の強度を向上でき、使用寿命が長くなる。
【００２６】
爪先部補強手段４４は、靴下体２の爪先部２２１を外から覆うように設置されている。
【００２７】
この実施形態において、かかと部補強手段４１と爪先部補強手段４４とは、熱溶融性接着フィルムにより構成され、補強バンド４２は革により構成されているが、他の材料で構成することもできる。
【００２８】
本考案の靴下シューズの製造方法は、内靴下層２３で足型を包んだ後、内靴下層２３の外表面に第１接着層２４とする接着剤を塗布し、そして、防水層２５で接着剤が塗布されている内靴下層２３を包んだ後、防水層２５の外表面に第２接着層２６とする接着剤を塗布して、外靴下層２７で接着剤が塗布されている防水層２５を包む。そして、接着剤で接着されている内靴下層２３、防水層２５及び外靴下層２７を乾燥炉内で加熱して、接着剤が固化して第１接着層２４及び第２接着層２６のそれぞれが形成され、内靴下層２３と防水層２５と外靴下層２７とが、第１接着層２４と第２接着層２６とにより互いに固く接着されて、第１接着層２４と第２接着層２６とが内靴下層２３と防水層２５と外靴下層２７とに剛性を与えて、靴下体２が作成される。
【００２９】
そして、靴底１の第１の面１１を足底部２１に接着して、緊締部３と補強手段４とを足甲部２２に接着した後、足型を外して、本考案の靴下シューズを製作できる。
【００３０】
上記の構成によれば、本考案の靴下シューズは、靴下体２が第１接着層２４及び第２接着層２６により剛性が与えられているので、常に装着者の足を収容する所定の空間２０を保持することができる。従って、靴下体２は、常に一般のシューズのような形を保持できて、靴下シューズの形や模様などを顕示しやすく、装着者も簡単に装着できるようになる。
【００３１】
また、防水層２５を有することにより、水にかけられても、内靴下層２３が濡れにくくなり、且つ、装着者の汗による湿気を排出できるので、装着者が不快感を感じにくくなり、湿気による病気、例えば水虫などにかかりにくくなる。
【００３２】
なお、外靴下層２７の編み方により、異なる外観や機能を付与ことができ、例えば伸縮性を向上する機能を有する編み方などで外靴下層２７を製作することができる。
【００３３】
＜第２の実施形態＞
本考案の靴下シューズの第２の実施形態は、上記第１の実施形態と多くの構成が共通するので、ここでは詳しい説明を省略し、その相違点のみを説明する。
【００３４】
図５は、本考案の第２の実施形態の靴下シューズを示す部分断面図である。
【００３５】
この実施形態において、図５に示されるように、防水層２５は、透湿性防水フィルム２５２により構成されている。
【００３６】
この実施形態の防水層２５の製造方法は、吹き付け方法で透湿性防水樹脂を足型の表面に付着させて固化した後、透湿性防水フィルム２５２が形成される。
【００３７】
＜第３の実施形態＞
本考案の靴下シューズの第３の実施形態は、上記第１の実施形態と多くの構成が共通するので、ここでは詳しい説明を省略し、その相違点のみを説明する。
【００３８】
図６は、本考案の第３の実施形態の靴下シューズを示す斜視図である。
【００３９】
この実施形態において、図６に示されるように、緊締部３の緊締シート３１は、足甲部２２の幅方向Ｌ２における両側に２つずつ設置されている。
【００４０】
＜第４の実施形態＞
本考案の靴下シューズの第４の実施形態は、上記第１の実施形態と多くの構成が共通するので、ここでは詳しい説明を省略し、その相違点のみを説明する。
【００４１】
図７は、本考案の第４の実施形態の靴下シューズにおける内靴下層を示す斜視図である。
【００４２】
この実施形態において、図７に示されるように、爪先部２２１とかかと部２２２との間の足甲部２２にある内靴下層２３には、捻挫防止部６が靴底１の幅方向Ｌ２に沿って横断するように設置されている。なお、捻挫防止部６は、爪先部２２１とかかと部２２２との間の足甲部２２及び足底部２１にある内靴下層２３を包むように構成されることもできる。
【００４３】
捻挫防止部６が設置されていることにより、捻挫を有効に防止でき、装着者の足を保護する効果がある。
【００４４】
＜第５の実施形態＞
本考案の靴下シューズの第５の実施形態は、上記第１の実施形態と多くの構成が共通するので、ここでは詳しい説明を省略し、その相違点のみを説明する。
【００４５】
図８は、本考案の第５の実施形態の靴下シューズを示す斜視図である。
【００４６】
この実施形態において、図８に示されるように、緊締部３は、靴底１の幅のほぼ中心点を通って該靴底１の長さ方向Ｌ３に沿って延伸する線を基準線Ａとして両側にそれぞれ該基準線Ａに平行する上、互いに対になるように足甲部２２に設置されていて、鳩目を囲んでなっている２列の鳩目手段３３と、鳩目手段３３を通し、靴下体２の足甲部２２を靴底１の幅方向Ｌ２に沿って左右それぞれの鳩目手段３３を前記基準線Ａの方へ引っ張る（すなわち、対となる鳩目同士の間隔を近づける）ことができるように設置されている靴紐３４と、からなっている。
【００４７】
この構成によれば、鳩目手段３３が囲んでいる鳩目に靴紐３４を通して基準線Ａの方へ引っ張ることにより、靴下体２を装着者の足の甲へ締めることができる。
【００４８】
＜第６の実施形態＞
本考案の靴下シューズの第６の実施形態は、上記第５の実施形態と多くの構成が共通するので、ここでは詳しい説明を省略し、その相違点のみを説明する。
【００４９】
図９は、本考案の第６の実施形態の靴下シューズにおける緊締部を示す部分透視図である。
【００５０】
この実施形態において、図９に示されるように、足甲部２２の防水層２５には、防水層２５の一部を外側から覆うシート状の緊締体３５が設置されている。また、緊締部３における鳩目手段３３は、紐体からなり、両端が付け根として、緊締体３５に連結されている。
【産業上の利用可能性】
【００５１】
本考案の靴下シューズは、立体の形を保持することができ、且つ、防水層を有するので、装着の利便性が向上し、雨の日でも快適であり、より全天候である。
【符号の説明】
【００５２】
１  靴底
１１  第１の面
１２  第２の面
２  靴下体
２０  所定の空間
２１  足底部
２２  足甲部
２２１  爪先部
２２２  かかと部
２２３  履き口
２３  内靴下層
２４  第１接着層
２５  防水層
２５１  基材フィルム
２５２  透湿性防水フィルム
２６  第２接着層
２７  外靴下層
３  緊締部
３１  緊締シート
３２  伸縮帯
３３  鳩目手段
３４  靴紐
３５  緊締体
４  補強手段
４１  かかと部補強手段
４２  補強バンド
４３  伸縮バンド
４４  爪先部補強手段
５  中敷き
６  捻挫防止部
Ｌ１  向き方向
Ｌ２  幅方向
Ｌ３  長さ方向
【図１】
0003211094.tif 000003
【図２】
0003211094.tif 000004
【図３】
0003211094.tif 000005
【図４】
0003211094.tif 000006
【図５】
0003211094.tif 000007
【図６】
0003211094.tif 000008
【図７】
0003211094.tif 000009
【図８】
0003211094.tif 000010
【図９】
0003211094.tif 000011